(57)【特許請求の範囲】
【請求項１】
サスペンド／レジューム制御手段と、スイッチとセンサーが一体となった指紋読み取り手段と、読み取った指紋を記憶する指紋記憶手段とを有し、前記サスペンド／レジューム制御手段は、通常動作時に前記指紋読み取り手段のセンサに指を置かれたことによってスイッチがオン状態となり、これに応じて指紋を読み取って前記指紋記憶手段に読み取った指紋を記憶するとともに、サスペンド状態への移行を通知し、サスペンド状態の時に前記センサに指を置かれたことによってスイッチがオン状態となり、これに応じて指紋を読み取り、サスペンド前に前記指紋記憶手段に記憶した指紋と照合して一致すればレジュームへの移行を通知することを特徴とするサスペンド／レジューム機能を有する情報処理装置。
【発明の詳細な説明】
【０００１】
【発明の属する技術分野】
本発明は、サスペンド／レジューム機能を有する情報処理装置に関し、特に操作性とセキュリティーに優れたサスペンド／レジューム機能を有する情報処理装置に関する。
【０００２】
【従来の技術】
従来の技術は、特開平６−１６１５９０号公報に記載のように、サスペンド／レジューム機能をもつ情報処理装置において、ボタン（スイッチ）押下のみによって、誰もがサスペンドからの復帰（レジューム）が可能であった。
【０００３】
また、特開平６−１０２９５３号公報に記載のように、レジューム前にパスワード入力によってユーザ認識をおこない、パスワードの正常な入力によってレジューム処理を行う方式となっていた。
【０００４】
【発明が解決しようとする課題】
上記従来技術においては、ボタン等の押下のみによって誰もがサスペンドからの復帰が可能なため、セキュリティーの面で問題があった。
【０００５】
また、パスワードを入力する方法は操作者にとって煩雑であった。
【０００６】
本発明の目的は、簡単な操作でセキュリティーの向上を図ることが可能なサスペンド／レジューム機能を有する情報処理装置を提供することにある。
【０００７】
【課題を解決するための手段】
上記目的を達成するため、本発明は、サスペンド／レジューム制御手段と、スイッチとセンサーが一体となった指紋読み取り手段と、読み取った指紋を記憶する指紋記憶手段とを有し、通常動作時に前記指紋読み取り手段のセンサに指を置かれたことに応じて指紋を読み取って前記指紋記憶手段に読み取った指紋を記憶するとともに、サスペンド状態へ移行し、サスペンド状態の時に前記センサに指を置かれたことに応じて指紋を読み取り、サスペンド前に前記指紋記憶手段に記憶した指紋と照合して一致すればレジュームする。
【０００８】
【発明の実施の形態】
以下、本発明の実施例を図面を参照して説明する。
【０００９】
図１は本発明の一実施例の情報処理装置内の制御部のブロック図、図２は該情報処理装置の外観図を示す。また、図３及び図４は、本発明の一実施例の動作を説明するフローチャートを示す。
【００１０】
まず、図１を参照して実施例の情報処理装置の制御部の構成を説明する。
【００１１】
本制御部はユーザが指を置くスイッチ一体型のセンサーがある指紋読み取り部１０１、指紋読み取りを制御する読み取り制御部１０２、スイッチ押下により各制御部の起動をかけるサスペンド／レジューム起動部１０３、指紋データを格納するメモリ１０４、メモリを制御するメモリ制御部１０５、現在がサスペンド中かどうかを示すサスペンドフラグ１０６、登録された指紋と読み取った指紋の比較を行う比較部１０７、指紋比較の結果による判定をおこないユーザに対してはＬＥＤ点灯でその結果を示し、又、ＣＰＵに対してサスペンド／レジュームの起点となる割り込みを発行する判定部１０８からなる。
【００１２】
次に、図２を参照してユーザインタフェース部分について説明する。情報処理装置本体２０１の表面にスイッチと一体となった指を置くセンサーである指紋読み取り部２０２と指紋照合判定と装置状態を示すＬＥＤ２０３からなる。
【００１３】
本実施例の動作について、まず図３を参照してユーザが通常動作状態からサスペンド状態へ移行する時の動作について説明する。
【００１４】
通常動作時、ユーザはシステムをサスペンド状態に移行したいときに、指紋読み取り部に指を置くことにより一体となったスイッチ１０１がオン状態となり、サスペンド／レジューム起動部１０３に起動がかかり、サスペンドフラグ１０６が０であることを確認して１にセットする。また読み取り制御部１０２については指紋読み取りを実行する。読み取り制御部１０２は指紋データの読み取りと同時にメモリ制御部１０５に対して起動をかけ、メモリ１０４に指紋データを格納する。
【００１５】
メモリ制御部１０５はサスペンドフラグ１０６の状態をみて１にセットされていれば、指紋登録用のメモリに指紋データを格納する。格納を完了したら判定部１０８にメモリ制御部１０５が通知して判定部１０８はＬＥＤ２０３を緑色に点灯させてユーザにサスペンドへの移行を完了したことを報告する。ここまではユーザは指紋読み取り部１０１から指をはなしてはいけない。又、判定部１０８はサスペンドの為の割り込みをＣＰＵへ通知しサスペンド処理を開始する。
【００１６】
次に、図４を参照してサスペンド状態から通常動作状態へ移行するレジュームについて説明する。
【００１７】
サスペンド時、ユーザはシステムをレジュームしたいときに、指紋読み取り部１０１に指を置くことにより一体となったスイッチがオン状態となり、サスペンド／レジューム起動部１０３に起動がかかり、サスペンドフラグ１０６が１である事を確認して０にセットする。また読み取り制御部１０２については指紋読み取りを実行する。読み取り制御部１０２は指紋データの読み取りと同時にメモリ制御部１０５に対して起動をかけ、メモリ１０４に指紋データを格納する。
【００１８】
メモリ制御部１０５はサスペンドフラグ１０６の状態をみて０にセットされていれば、指紋読み取りバッファ用のメモリに指紋データを格納する。格納を完了したら判定部１０８にメモリ制御部１０５が通知する。比較部１０７はサスペンドに移行したときに登録された指紋と、レジュームのために読み取った指紋を比較、照合してその結果を判定部１０８に通知する。判定部１０８は比較部１０７の判定により、照合結果がＯＫであればＬＥＤ２０３を無灯にさせてユーザにレジュームへの処理が開始したことを報告する。ここまではユーザは指紋読み取り部１０１から指をはなしてはいけない。又判定部１０８はレジュームのための割り込みをＣＰＵへ通知しレジューム処理を開始させる。照合結果がＮＧであれば、ＬＥＤ２０３を赤色に点灯させユーザに読み取り失敗または指紋不一致として、報告する。この場合、再度指紋読み取り部に指を置く必要がある。
【００１９】
【発明の効果】
サスペンド／レジューム機能を有する情報処理装置において、スイッチとセンサーが一体となった指紋読み取り部に指を置くことによりサスペンド状態へ移行させた本人の指紋を登録し、レジューム時に指紋照合することで、サスペンド状態へ移行させた本人のみがレジュームを可能とすることで、簡単な操作でセキュリティー性の向上を図ることができる。
【図面の簡単な説明】
【図１】本発明の一実施例の情報処理装置の制御ブロック図である。
【図２】本発明の一実施例の情報処理装置の外観図である。
【図３】本発明の一実施例のサスペンド時のフローチャートである。
【図４】本発明の一実施例のレジューム時のフローチャートである。
【符号の説明】
１０１…指紋読み取り部、１０２…読み取り制御部、１０３…サスペンド／レジューム起動部、１０４…指紋データ格納用メモリ、１０５…メモリ制御部、１０６…サスペンド状態かを示すフラグ、１０７…比較部、１０８…判定部、２０１…情報処理装置本体、２０２…指紋読み取り部、２０３…装置の状態を示すＬＥＤ。
【図１】
0003648300.tif 000002
【図２】
0003648300.tif 000003
【図３】
0003648300.tif 000004
【図４】
0003648300.tif 000005